(57)【要約】【課題】様々な電子機器において、メモリカード等の外部記憶媒体（記憶メディア）を用いて簡単に設定作業を行えるようにするものであり、キーボードや液晶ディスプレイ等の入力手段又は／および表示手段がなくても設定を行え、さらに設定を簡略化するとともに設定ミスの発生を抑制する設定手段を持たない電子機器の設定方法を提案することを目的とする。【解決手段】記憶媒体の装填部を有する第１の電子機器の所定の設定情報をこの装填部に装填され着脱可能な記憶媒体に記憶させ、この第１の電子機器の設定情報が記憶されたこの記憶媒体を第２の電子機器の装填部に装着し、この第２の電子機器に設けられ必要とする設定情報の有無を判断して所定の設定処理を行う設定制御手段により、この記憶媒体に記憶されている設定情報より、この第２の電子機器の設定を行うようにする。このとき、この第２の電子機器が入力手段又は／及び表示手段を持たない電子機器についても設定がなされるようにしたものである。【選択図】　図１１
2004013718.tif 000002
【特許請求の範囲】
【請求項１】
記憶媒体の装填部を有する第１の電子機器の所定の設定情報を前記装填部に装填され着脱可能な記憶媒体に記憶させ、
前記第１の電子機器の前記設定情報が記憶された前記記憶媒体を第２の電子機器の装填部に装着し、
前記第２の電子機器に設けられ必要とする設定情報の有無を判断して所定の設定処理を行う設定制御手段により、前記記憶媒体に記憶されている設定情報より、前記第２の電子機器の設定を行うようにしたことを特徴とする電子機器の設定方法。
【請求項２】
請求項１に記載の電子機器の設定方法において、
前記第２の電子機器の電源投入時に、前記設定制御手段は前記記憶媒体が前記第２の電子機器の装填部に装填されていることを感知して、
前記第２の電子機器の設定を開始するようにしたことを特徴とする電子機器の設定方法。
【請求項３】
請求項１に記載の電子機器の設定方法において、
前記第２の電子機器が入力手段または／及び表示手段を持たないことを特徴とする電子機器の設定方法。
【請求項４】
請求項１に記載の電子機器の設定方法において、
前記第１の電子機器が無線通信機能を備え、前記第１の電子機器の前記設定情報に無線通信ネットワークに接続する設定情報が含まれる場合には、
前記第１の電子機器の前記設定情報より前記設定制御手段により、無線通信機能を備える前記第２の電子機器の設定を行い、前記第２の電子機器を前記無線通信ネットワークに無線通信により接続するようにしたことを特徴とする電子機器の設定方法。
【請求項５】
請求項４に記載の電子機器の設定方法において、
前記第２の電子機器に設定される設定情報は、少なくとも前記無線通信ネットワークの識別名、暗号鍵および前記第２の電子機器の固有情報を含むことを特徴とする電子機器の設定方法。
【請求項６】
請求項５に記載の電子機器の設定方法において、
前記固有情報はグローバルＩＰアドレスまたはローカルＩＰアドレスであることを特徴とする電子機器の設定方法。
【発明の詳細な説明】
【０００１】
【発明の属する技術分野】
本発明は、様々な電子機器において、簡単に各種の設定を行えるようにするものであり、例えば、入力手段又は／及び表示手段等の設定手段を持たない電子機器の設定作業に適用して好適な電子機器の設定方法に関する。
【０００２】
【従来の技術】
様々な電子機器において、これら電子機器を用いる際に、電子機器に対し用途に応じて各種の設定が必要となることが多い。例えば、電子機器としてパーソナルコンピュータ（ＰＣ）をグローバルネットワークのインターネットに接続して、電子メール機能やＷＷＷ（Ｗｏｒｌｄ　Ｗｉｄｅ　Ｗｅｂ）ブラウザ機能などのネットワーク通信機能を使用するためには、予め、ネットワーク接続するためのＩＳＰ（Ｉｎｔｅｒｎｅｔ　Ｓｅｒｖｉｃｅ　Ｐｒｏｖｉｄｅｒ）情報やメールアカウント情報等をＰＣに設定しておく必要がある。
【０００３】
ＩＳＰ情報としては、接続するＩＳＰのＤＮＳ（Ｄｏｍａｉｎ　Ｎａｍｅ　Ｓｙｓｔｅｍ）や、パスワード、アクセスポイントの電話番号等などがある。また、電子メール機能であれば、メールアカウントの情報として、メールユーザのアカウント情報や、ＰＯＰ（Ｐｏｓｔ　Ｏｆｆｉｃｅ　Ｐｒｏｔｃｏｌ）３サーバや、ＳＭＴＰ（Ｓｉｍｐｌｅ　Ｍａｉｌ　Ｔｒａｎｓｆｅｒ　Ｐｒｏｔｃｏｌ）サーバの情報などがある。
【０００４】
これらの情報を例えばＰＣに接続された液晶ディスプレイ等の表示デバイスとキーボード等の入力デバイスとを使用して一つ一つ入力し設定していく。さらに、新たに別のＰＣを電子メール機能やＷＷＷブラウザ機能などのネットワーク通信機能を使用できるように設定するには、同じようにＰＣに接続された表示デバイスと入力デバイスとを使用して一つ一つ入力し設定していく。
【０００５】
【発明が解決しようとする課題】
しかしながら、上述のようなキーボード等の入力デバイス（入力手段）や液晶ディスプレイ等の表示デバイス（表示手段）を持たない電子機器においての設定は困難である。このように電子機器自体に設定を行うための入力手段または／及び表示手段等の設定手段を持たない機器についてはそのままでは設定することができない。
【０００６】
例えば、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）８０２．１１ｂ等に準拠した無線通信機能が内蔵または外付け接続された電子機器を、無線通信によりデータ送受される無線ＬＡＮ（Ｌｏｃａｌ　Ａｒｅａ　Ｎｅｔｗｏｒｋ）システムに接続する場合を例に挙げ説明する。
【０００７】
この場合、新たに接続したい電子機器に対し、特定の無線ＬＡＮを識別するための名称を表すＳＳＩＤ（Ｓｅｒｖｉｃｅ　Ｓｅｔ　Ｉｄｅｎｔｉｆｉｅｒ）やＬＡＮ内の情報の秘匿性を高めるための暗号鍵であるＷＥＰ（Ｗｉｒｅｄ　Ｅｑｕｉｖａｌｅｎｔ　Ｐｒｉｖａｃｙ）Ｋｅｙといった情報の取得及び設定が必要となる。
【０００８】
このＳＳＩＤは所望する任意の名称を付与することで設定される。また、ＷＥＰＫｅｙは５ｂｙｔｅｓまたは１３ｂｙｔｅｓのＡＳＣＩＩ文字列より構成されるものである。
【０００９】
新たに電子機器を無線ＬＡＮに接続する場合、入力デバイス（入力手段）及び表示デバイス（表示手段）を持つ電子機器では、表示デバイスにより設定値を確認しながら入力用のユーザインターフェイスを利用して各設定を行うことができる。また、入力及び表示手段を持たないワイヤレス接続機器と入力及び表示手段を持つ電子機器とを有線で接続してワイヤレス接続機器の設定を行うことも可能である。
しかし、入力デバイス及び表示デバイスといった入力手段及び表示手段が存在せず、かつワイヤレス接続の電子機器においては、このような設定は非常に困難である。
【００１０】
また、ＳＳＩＤやＷＥＰＫｅｙ等の設定情報は、数字やアルファベットの羅列であり、操作者が直接入力した場合には、非常に煩わしく、また、入力ミスが発生しやすくなるという問題があった。
【００１１】
さらに、上述したように複数の電子機器を同一の無線ＬＡＮ環境で使用する場合には、アクセスポイント及びクライアントのすべての機器において、ＳＳＩＤやＷＥＰＫｅｙ等の入力が必要となり、入力ミスが発生する可能性がさらに高くなるという問題があった。
【００１２】
本発明は、斯かる点に鑑み、様々な電子機器において、メモリカード等の外部記憶媒体（記憶メディア）を用いて簡単に設定作業を行えるようにするものであり、キーボードや液晶ディスプレイ等の入力手段又は／および表示手段がなくても設定を行え、さらに設定を簡略化するとともに設定ミスの発生を抑制する電子機器の設定方法を提案するものである。
【００１３】
【課題を解決するための手段】
本発明の電子機器の設定方法は、記憶媒体の装填部を有する第１の電子機器の所定の設定情報を前記装填部に装填され着脱可能な記憶媒体に記憶させ、この第１の電子機器の設定情報が記憶されたこの記憶媒体を第２の電子機器の装填部に装着し、この第２の電子機器に設けられ必要とする設定情報の有無を判断して所定の設定処理を行う設定制御手段により、この記憶媒体に記憶されている設定情報より、第２の電子機器の設定を行うようにしたものである。
【００１４】
斯かる本発明によれば、電子機器と着脱可能な記憶媒体に第１の電子機器の設定情報を記憶させ、この記憶媒体に記憶された設定情報を読み込んで、読み込まれた設定情報より第２の電子機器の設定を行うようにしたので、簡単に各種設定を行うことができる。
【００１５】
また、本発明は、第１の電子機器が無線通信機能を備え、この第１の電子機器の設定情報に無線通信ネットワークに接続する設定情報が含まれる場合には、この第１の電子機器の設定情報よりこの設定制御手段により、無線通信機能を備えるこの第２の電子機器の設定を行い、この第２の電子機器をこの無線通信ネットワークに無線通信により接続するようにしたものである。
【００１６】
斯かる本発明によれば、記憶媒体に第１の電子機器の無線通信ネットワークの設定情報を記憶させ、この記憶媒体に記憶された設定情報を読み込んで、読み込まれた設定情報より第２の電子機器の設定を行うようにしたので、容易に無線通信ネットワークの接続設定を行うことができる。
【００１７】
【発明の実施の形態】
以下、図１〜図１２を参照して本発明の電子機器の設定方法の実施の形態の例につき説明する。
【００１８】
図１は、インフラストラクチャ・モードといわれる無線ＬＡＮシステム（無線ＬＡＮ）の一例を示すものである。図中、１はアクセスポイント（ＡＰ）を示し、無線通信機能を有する電子機器２等がこのアクセスポイント１と無線通信によって接続（以下、ワイヤレス接続という）されている状態を示す。また、この例ではアクセスポイント１を経由してインターネットプロバイダよりインターネットに接続される。
【００１９】
住宅内など限られたエリア内で構築される上述の無線ＬＡＮを構築するものとして、例えば、図２〜図４に示すような、テレビジョン（テレビ）放送の受信用のチューナが内蔵または接続され、モデムを介して電話回線が接続されるなど、情報ソースとして機能するサーバであって、かつアクセスポイントとして機能するベース装置１と、このベース装置１との間の無線通信によって、ベース装置１に対してコマンドを発行して、ベース装置１からテレビの画像を受信したり、ベース装置１を介してインターネット上の情報を受信して、ディスプレイ上に画像や情報を表示し、ベース装置１を介して電子メールを送受信する等の機能を備える表示端末装置２とからなるシステムが考えられる。
【００２０】
上述のベース装置１と表示端末装置２と間の無線通信は、例えば、２．４ＧＨｚ帯の周波数を使用しＩＥＥＥ８０２．１１ｂ規格に準拠した無線通信機能が内蔵または外付け接続され、変調方式はＤＳ−ＳＳ（Ｄｉｒｅｃｔ　Ｓｅｑｕｅｎｃｅ　Ｓｐｒｅａｄ　Ｓｐｅｃｔｒｕｍ）方式等で行われる。本例においては、準拠規格はＩＥＥＥ８０２．１１ａやＢｌｕｅｔｏｏｔｈ（登録商標）等でもよく、機器に無線通信機能が内蔵または外付け接続され、所望の機器との間で無線通信できればよいので、無線通信の方式はこれに限るものではない。
【００２１】
本例においては、図１に示すように表示端末装置２が無線通信機能を有すると共にベース装置１が無線ＬＡＮのアクセスポイントとしての機能を有しワイヤレス接続するものであればよい。また、電子機器に本例のような無線通信機能が搭載されていない場合の電子機器間の通信方法としては、電子機器のＰＣカード用スロットに無線ＬＡＮ用ＰＣカードを挿入し、この無線ＬＡＮ用ＰＣカードを介してアクセスポイントにワイヤレス接続したり、あるいは、電子機器に搭載のＵＳＢ（Ｕｎｉｖｅｒｓａｌ　Ｓｅｒｉａｌ　Ｂｕｓ）端子を利用して無線ＬＡＮアダプタを設置しワイヤレス接続する等が考えられる。
【００２２】
尚、本例において、ベース装置１と表示端末装置２と間の通信設定は、予め、工場出荷時等に、無線ＬＡＮを識別するＳＳＩＤ及び暗号鍵のＷＥＰＫｅｙの設定が完了しているものとする。
【００２３】
図２は表示端末装置の一例の正面図と側面図を示すものである。また、図３は表示端末装置２をスタンド２３によって自立させた状態を示し、図４はベース装置１の側面図を示す。
【００２４】
表示端末装置２の前方側及び後方側の所定の位置には、図示しない無線通信用のパッチアンテナが設けられており、それぞれ半球面上の放射パターンを形成するものとされ、各パッチアンテナの受信レベル情報に基づいて実際に送信及び受信を行うパッチアンテナが選択されることにより、パッチアンテナ全体として全球面状の放射パターンを有するアンテナが形成される。
【００２５】
後述するベース装置１にも、同様のパッチアンテナが設けられており、全球面状の放射パターンを有するアンテナを形成するので、表示端末装置２とベース装置１との位置関係の如何にかかわらず、表示端末装置２とベース装置１と間の無線通信が良好に行われる。したがって、表示端末装置２はベース装置１から所定距離範囲内で離れて使用でき、例えば、表示端末装置２を住居内や庭などの任意の場所に持ち込んでベース装置１より提供される各サービスを利用できる。
【００２６】
図２に示すように、表示端末装置２の正面には、表示手段としてのＬＣＤ（液晶表示ディスプレイ）２１が設けられ、その表示画面上には、座標入力手段として透明のタッチパネル２２が積層されている。表示端末装置２単独でも図示しない付属のタッチペンを使用して所謂お絵描きや保存している画像の閲覧などを実行することができる。また、ＬＣＤ２１の左右の上部にはスピーカ２２７，２２８が設けられている。
【００２７】
表示端末装置２を手に持って使用することもできるが、図３に示すように、スタンド２３を立て、表示端末装置２を適当な面上に所望の角度に支持して自立させることができる。
【００２８】
また、図４に破線で示すように、表示端末装置２をベース装置１の所定部位に立て掛けて使用することもできる。このとき、表示端末装置２とベース装置１のそれぞれに設けられた図示しない充電端子が接触することによって、表示端末装置２に内蔵されている電池を充電できる機能を有する。
【００２９】
４１は、例えば半導体メモリ等からなるメモリカード４０などの記憶媒体（記憶メディア）を挿入するスロットである。スロット４１に挿入されたメモリカード４０に対して、ファイルや画像、設定情報など保存したい情報を記憶させることができる。このスロットはアクセスポイントであるベース装置１に設けるようにしてもよい。
【００３０】
図６はベース装置１の機能ブロック構成の一例を示すものである。各種の制御を行う制御手段としてＣＰＵ（Ｃｅｎｔｒａｌ　Ｐｒｏｃｅｓｓｉｎｇ　Ｕｎｉｔ）１７１を有し、このＣＰＵ１７１が実行すべきプログラムや固定データなどが書き込まれたＲＯＭ（Ｒｅａｄ　Ｏｎｌｙ　Ｍｅｍｏｒｙ）１７２、及びＣＰＵ１７１のワークエリアなどとして機能するＲＡＭ（Ｒａｎｄｏｍ　Ａｃｃｅｓｓ　Ｍｅｍｏｒｙ）１７３がそれぞれバス１７０に接続されている。
【００３１】
端子１４３には、ＶＨＦ／ＵＨＦアンテナ１１３が接続され、受信された地上波テレビジョン放送信号が、ベース装置１内のＶＨＦ／ＵＨＦチューナ１５３で選局して復調され、更に映像データおよび音声データ等に変換された上で、バス１７０に接続される。
【００３２】
端子１４１には、電話回線が接続され、回線インターフェース１５１及びモデム１５２を介してバス１７０に接続される。
【００３３】
端子１４４には、外部機器として、例えばＤＶＤ（Ｄｉｇｉｔａｌ　Ｖｅｒｓａｔｉｌｅ　Ｄｉｓｃ）プレーヤなどが接続され、これより映像データ及び音声データが、ベース装置１内の外部入力インターフェイス１５４を介して、バス１７０に送出される。あるいは、他の外部機器よりの入力端子数を増やし、例えば、デジタルＣＳチューナやデジタルＢＳチューナなどが接続され、これより、映像データ及び音声データが別に設けられた外部入力インターフェイスに供給されバス１７０に送出されるようにしてもよい。
【００３４】
バス１７０には無線通信部１１０が接続され、ベース装置１より表示端末装置２に送信されるべき各種のデータやコマンドが、無線通信部１１０においてＤＳ−ＳＳ等所定の変調方式で変調されて、パッチアンテナ等のアンテナ１１１より表示端末装置２に送信される。また、表示端末装置２から送信されるコマンドや各種のデータが、アンテナ１１１で受信され、無線通信部１１０において、復調されてバス１７０に送出される。
【００３５】
図７は表示端末装置２の機能ブロック構成の一例を示すものである。各種の制御を行う制御手段としてＣＰＵ２７１等を有し、このＣＰＵ２７１が実行すべきプログラムや固定データなどが書き込まれたＲＯＭ２７２、及びＣＰＵ２７１のワークエリアなどとして機能するＲＡＭ２７３がそれぞれバス２７０に接続されている。
【００３６】
バス２７０には、図示しない画像ファイルなどが書き込まれるユーザメモリが接続されると共に、図２Ｂに示したスロット４１にメモリカード４０等の外部記憶媒体が装着されて図示しないメモリカードインターフェイスを介してバス２７０に接続される。
【００３７】
また、バス２７０には、表示制御部２２１を介してＬＣＤ２１が接続されると共に、Ｄ／Ａコンバータ２２５及び音声増幅回路２２６を介してスピーカ２２７，２２８が接続される。
【００３８】
また、タッチパネル２２上にてタッチペンや指などで選択した部位の座標やアイコンなどが座標検出部２２２で検出され、バス２７０に送出されると共に、図２Ａに示されるワンタッチでインデックス画面に切り替わるインデックスボタン２３０などを含む操作部２０３よりの指令がインターフェイス２２３を介してバス１７０に送出される。
【００３９】
表示端末装置２は、必要に応じてソフトキーボードと呼ばれるキーボードをＬＣＤ２１上に表示することができる。例えば、図５Ａは電子メール機能を用いてメールを作成する画面を表しているが、タッチペン等で画面上をタッチすると、メール作成画面上に、図５Ｂに示すソフトキーボード３０がマルチウィンドウ表示される。表示されたソフトキーボード３０は、文章作成等の作業の邪魔にならない位置に適宜移動させたりすることができる。あるいは、ソフトキーボードの代わりに表示端末装置２にハードデバイスとしてキーボードを外付け接続することもできる。
【００４０】
尚、この例の表示端末装置２は無線通信機能付きでアクセスポイントとワイヤレス接続できるものであればよいのでパーソナルコンピュータやＰＤＡ（携帯情報端末）など様々な電子機器が適用可能である。
【００４１】
斯かる本例の構成において、図１に示すように、現状アクセスポイントとしてのベース装置１と表示端末装置２とで構成される無線ＬＡＮに、新たに電子機器として例えば無線通信機能を有するビデオカメラ（以下、ネットワークカメラという）３をワイヤレス接続する場合を考える。
【００４２】
ネットワークカメラ３とベース装置１とをワイヤレス接続して、それぞれの機器が相互にワイヤレス通信できるようにするためには、ベース装置１とワイヤレス接続される各電子機器とのＳＳＩＤとＷＥＰＫｅｙの情報を全てこの無線ＬＡＮに共通の情報に設定しなくてはならない。また、インターネット等のグローバルネットワークに接続する場合、各電子機器のネットワーク通信機能の設定を行う。さらに、電子機器の固有情報となるそれぞれに異なるローカルＩＰアドレスを設定しなくてはならない。
【００４３】
まず、メモリカード内に設定用ファイルを作成する。操作者はメモリカード４０を、表示端末装置２のスロット４１に挿入する。次に、図２Ａに示すＬＣＤ２１の右下に配された設定ボタンをタッチペン等でタッチして押下し、図示しない設定メニュー画面の中から表示端末装置２のワイヤレス通信設定情報をメモリカード４０にコピーするための設定用画面を表示する。
【００４４】
そして、図８に示すようなＬＣＤ２１上に表示されるユーザインターフェイスにおいて、ワイヤレス通信を行うための設定情報をメモリカード４０にコピーする設定コピーボタン２４を選択してタッチすることによって、表示端末装置２に設定されているこの無線ＬＡＮのＳＳＩＤとＷＥＰＫｅｙがメモリカードにコピーされ記憶される。
【００４５】
コピーを行うと、メモリカード４０内には、例えば図９に示すようなＳＳＩＤ２７とＷＥＰＫｅｙ２８とが記述されたテキスト形式の設定用ファイルが作成される。ＤＨＣＰ（Ｄｙｎａｍｉｃ　Ｈｏｓｔ　Ｃｏｎｆｉｇｕｒａｔｉｏｎ　Ｐｒｏｔｏｃｏｌ）サーバよりネットワークカメラ３などの設定したい電子機器のローカルＩＰアドレスを取得する場合、設定用ファイルの作成はここで終了である。
【００４６】
一方、設定したい電子機器のローカルＩＰアドレスを手動で決める場合には、図８に示すＩＰアドレス入力欄２５に設定したい電子機器のＩＰアドレスを入力し、セットボタン２６を押す。これにより、入力したＩＰアドレスがメモリカード内の設定用ファイルに書き込まれる。このときメモリカード内に作成される設定用ファイルは、図１０に示すように、ＳＳＩＤ２７及びＷＥＰＫｅｙ２８だけでなく、ＩＰアドレス２９も記述されたものとなる。
【００４７】
ここで、図８に示すワイヤレス接続の設定をする専用のユーザインターフェイスが存在しない場合には、操作者は、メモリカード内に図９もしくは図１０に示したような設定用ファイルを作成する。このファイルは、テキスト形式で、ＳＳＩＤ２７とＷＥＰＫｅｙ２８を記述する。ＩＰアドレスを手動で設定する場合には、設定用画面においてＩＰアドレス２９も入力する。この設定用ファイルのメモリカード４０への保存は所定のファイル名で行い、先に図８に示すユーザインターフェイスを用いてコピーをしたときに作成される設定用ファイルと同じものとなる。
【００４８】
次に、操作者は、上述した手順により作成した設定用ファイルが保存されているメモリカード４０を、ネットワークカメラ３の図示しないメモリカード用スロットに挿入し、電源を投入する。ネットワークカメラ３は、起動時にメモリカード４０から必要な設定情報を読み出す。
【００４９】
ネットワークカメラ３は、図１１に示すフローチャートに沿って行われるプログラムが内蔵のＲＯＭに記録されており、このフローチャートにしたがい、ネットワークカメラ３に搭載された図示しないＣＰＵなどの設定制御手段により設定情報の読み込みが行われ、必要な情報の有無が判断され所定の設定が行われる。
【００５０】
まず、ネットワークカメラ３の電源を投入した後（ステップＳ１）、メモリカードがネットワークカメラ３のスロットに挿入されているかを判定し（ステップＳ２）、メモリカードが未挿入の場合、設定失敗となる。
【００５１】
メモリカード４０がスロットに挿入されている場合、メモリカード内に設定用ファイルが存在するかを判定し（ステップＳ３）、設定用ファイルが存在しない場合には、設定失敗となる。設定用ファイルの有無の判定は所定のファイル名が存在するかどうかを確認することで行う。
【００５２】
メモリカード内に設定用ファイルが存在する場合、この設定用ファイル内にＳＳＩＤとＷＥＰＫｅｙ（暗号鍵）の記述があるかを判定し（ステップＳ４）、いずれかの記述が欠けていても無線ＬＡＮのワイヤレス接続の設定失敗とする。
【００５３】
メモリカード内にＳＳＩＤとＷＥＰＫｅｙの記述がある場合、それらをネットワークカメラ３に読み込んで設定する（ステップＳ５）。
【００５４】
次に、ＩＰアドレス２９の記述があるかどうかを判定し（ステップＳ６）、ＩＰアドレス２９の記述がある場合、そのＩＰアドレス２９を読み込み設定する（ステップＳ７）ことにより、無線ＬＡＮに接続するために必要な設定作業が完了する。
【００５５】
また、ステップＳ６において、設定用ファイル内にＩＰアドレス２９の記述がない場合、ＤＨＣＰサーバよりＩＰアドレスを取得する（ステップＳ８）。そして、ＤＨＣＰサーバからＩＰアドレスを正常に取得できれば（ステップＳ９）、取得したＩＰアドレスをネットワークカメラ３に設定して（ステップＳ１０）、設定が完了となる。しかし、ＤＨＣＰサーバよりＩＰアドレスを取得できなかった場合は、設定失敗となる。
【００５６】
設定が完了すると、アクセスポイントとしてのベース装置１を介して表示端末装置２とネットワークカメラ３とがワイヤレス接続されるとともに、この例ではネットワーク通信機能も設定される。そして、例えば、ネットワークカメラ３で撮影した画像を、図１に示す表示端末装置２のサムネイルのアルバムを選択し、アルバム編集機能を使用してネットワークカメラ３からの画像の取り込み、編集や管理等を行ったり、ネットワークカメラ３から画像データ等をインターネット配信したりすることもできる。
【００５７】
上述したネットワークカメラ３の設定方法と同様の設定方法により、さらにプリンタ４など無線通信機能付きの電子機器を、アクセスポイントであるベース装置１が有する接続可能なポイント数の範囲内で何台でも無線ＬＡＮにおけるワイヤレス接続の設定が可能となる。
【００５８】
尚、ＩＰアドレスに関し、将来的に、現行のＩＰｖ４（Ｉｎｔｅｒｎｅｔ　Ｐｒｏｔｏｃｏｌ　ｖｅｒ．４）からＩＰｖ６（Ｉｎｔｅｒｎｅｔ　Ｐｒｏｔｏｃｏｌ　ｖｅｒ．６）の方式に移行した場合には、電子機器をインターネットに接続しただけでインターネット上で使用できるグローバルＩＰアドレスを個々の電子機器毎に取得（ステートレス・アドレス自動設定）することが可能となる。
【００５９】
したがって、ＩＰｖ６の場合には、図１１フローチャートにおいて、ＩＰアドレスとはグローバルＩＰアドレスを指すとともに、ステップＳ８においてＨＰＣＰサーバによるグローバルＩＰアドレスの割り当て規定に加えてステートレス・アドレス自動設定により取得するかを選択できるようにすることもできる。
【００６０】
これら図１例でワイヤレス接続される電子機器は、無線通信機能及びメモリカード用のスロットとインターフェイスを有し、電子機器内に用途に適した設定用プログラムが搭載されＣＰＵ等の設定制御手段により所定の設定が行われるものであればよいので、ネットワークカメラやプリンタ等に限ることなく、様々な電子機器が適用できる。
【００６１】
また、本例はインフラストラクチャ・モードの代わりにアドホット・モードの無線ＬＡＮの設定に適用して、無線ＬＡＮや、インターネット等のネットワーク通信機能等の設定を行うことも考えられる。
【００６２】
斯かる本例によれば、表示端末装置２の設定情報をメモリカード４０に記憶させ、メモリカード４０に記憶された設定情報をネットワークカメラ３に読み込み、読み込んだ設定情報を基にネットワークカメラ３等の機器の設定を行うようにしたので、必要な設定を容易に行うことができる。
特に、設定を行うためのキーボードや液晶表示ディスプレイ等の入出力手段を持たない電子機器においても、容易に各種設定を行うことができるので、例えば、既存の様々な機器をワイヤレス化する際に、非常に効果的である。
【００６３】
また、初級者にとっては難しいような設定であっても、メモリカードを機器に挿入して起動させるだけでよいので、分かりにくい設定が必要なく容易に設定することができると共に入力ミスを削減することができる。これにより、さらなる電子機器、ワイヤレス接続機器の普及が期待できる。
【００６４】
また、設定情報の内容は、メモリカード内の設定ファイルを閲覧することで、確認及び修正等することができ、上級者にとっても使い勝手が向上する。
【００６５】
さらにまた、メモリカードに設定情報を記憶させてこのメモリカードを介して電子機器の設定を行うようにしているため、同一機器を異なる設定で使用することもでき、この場合、各設定ごとにメモリカードを用意するだけでよいので、機器の使用環境が制限されることなく、使用方法の発展も見込まれる。例えば、家族ひとりひとり違った設定で使い分ける場合に、各設定情報に応じそれぞれ異なるメモリカードに設定情報を記憶させ、電子機器を使用する際に各個人毎にメモリカードを交換することで各個人の好みに合うように簡単に電子機器の設定を変更することができる。
【００６６】
尚、本発明は上述した実施の形態の例に限られるものではなく、本発明の要旨を逸脱することなくその他種々の構成を取り得ることは勿論である。
【００６７】
【発明の効果】
斯かる本発明によれば、電子機器と着脱可能な記憶媒体に設定情報を記憶させ、この記憶媒体より読み込んだ設定情報より、新たに設定される電子機器に設けられた設定制御手段によって、所定の設定を行うので、容易に電子機器の各種設定を行うことができる。また、入力手段又は／及び表示手段等の設定手段を持たない電子機器の場合であっても、容易に必要な各種設定を行うことができる。
【００６８】
また、本発明によれば、電子機器の無線通信接続の設定をする場合、記憶媒体に無線通信ネットワークの設定情報を記憶させ、この記憶媒体より読み込んだ設定情報より無線通信接続する電子機器の無線通信接続設定を行うので、容易に無線通信の接続設定を行うことができ、既存の様々な機器をワイヤレス化する際に、非常に効果的である。
またこのとき、無線通信ネットワークの識別名、暗号鍵及び電子機器の固有情報等の手動による入力作業がないので、入力ミスを抑制できるとともに、無線通信接続機器等のさらなる電子機器の普及が期待できる。
【図面の簡単な説明】
【図１】本発明の実施の形態の例の無線ＬＡＮシステムを示す概略構成図である。
【図２】表示端末装置の一例を示し、Ａは正面図である。Ｂは側面図である。
【図３】表示端末装置のスタンドを開き自立させた状態を示す側面図である。
【図４】ベース装置の側面図である。
【図５】本発明の説明に供する線図である。
【図６】ベース装置の概略構成図である。
【図７】表示端末装置の概略構成図である。
【図８】本発明の説明に供する線図である。
【図９】本発明の説明に供する線図である。
【図１０】本発明の説明に供する線図である。
【図１１】本発明の電子機器の設定方法の実施の形態の例を示すフローチャートである。
【符号の説明】
１・・・・アクセスポイント、２，３，４・・・・電子機器、　４０・・・・メモリカード、４１・・・・スロット、１７１，２７１・・・・ＣＰＵ
【図１】
2004013718.tif 000003
【図２】
2004013718.tif 000004
【図３】
2004013718.tif 000005
【図４】
2004013718.tif 000006
【図５】
2004013718.tif 000007
【図６】
2004013718.tif 000008
【図７】
2004013718.tif 000009
【図８】
2004013718.tif 000010
【図９】
2004013718.tif 000011
【図１０】
2004013718.tif 000012
【図１１】
2004013718.tif 000013